(57)【要約】【課題】  ユーザ固有の処理指定メニューに基づく画像処理の利便性を向上させることができる画像処理装置を提供する。【解決手段】  記憶媒体を受け入れる記憶媒体受入部を備え、処理対象となった画像データを利用して、ユーザから指定される指定処理を遂行する画像処理装置であって、前記指定処理を指定するための既定処理指定メニューを取得する手段と、前記記憶媒体受入部に受け入れられた記憶媒体から読み出されるユーザデータに基づいて、前記指定処理を指定するためのユーザ固有処理指定メニューを取得する手段と、前記取得したユーザ固有処理指定メニューと既定処理指定メニューとを含む、表示用メニューを生成してユーザに提示するメニュー提示手段と、を含み、前記提示された表示用メニューを用いて指定された指定処理を、前記処理対象となった画像データを利用して遂行する画像処理装置とする。【選択図】      図３
2006270155.tif 000002
【特許請求の範囲】
【請求項１】
記憶媒体を受け入れる記憶媒体受入部を備え、処理対象となった画像データを利用して、ユーザから指定される指定処理を遂行する画像処理装置であって、
前記指定処理を指定するための既定処理指定メニューを取得する手段と、
前記記憶媒体受入部に受け入れられた記憶媒体から読み出されるユーザデータに基づいて、前記指定処理を指定するためのユーザ固有処理指定メニューを取得する手段と、
前記取得したユーザ固有処理指定メニューと既定処理指定メニューとを含む、表示用メニューを生成してユーザに提示するメニュー提示手段と、
を含み、
前記提示された表示用メニューを用いて指定された指定処理を、前記処理対象となった画像データを利用して遂行することを特徴とする画像処理装置。
【請求項２】
請求項１に記載の画像処理装置において、
前記メニュー提示手段は、前記取得したユーザ固有処理指定メニューと既定処理指定メニューとに、それぞれ重複した処理を指定するメニューが含まれる場合には、予め定めた選択条件に基づいて、いずれか一方のメニューを選択的に含めた前記表示用メニューを生成することを特徴とする画像処理装置。
【請求項３】
請求項２に記載の画像処理装置において、
前記既定処理指定メニュー及び前記ユーザ固有処理指定メニューに含まれる個々のメニューには、各メニューの更新日時に関する情報が関連付けられており、
前記選択条件は、前記更新日時のより新しい方を選択する条件であることを特徴とする画像処理装置。
【請求項４】
請求項２又は３に記載の画像処理装置において、
前記取得したユーザ固有処理指定メニューと既定処理指定メニューとに、それぞれ重複した処理を指定するメニューが含まれる場合に、予め定めた選択条件に基づいて、いずれか一方を選択し、当該選択したメニューを、選択されないメニューに上書きして、前記取得したユーザ固有処理指定メニューと既定処理指定メニューとのいずれか一方を更新する手段をさらに含むことを特徴とする画像処理装置。
【請求項５】
処理対象となった画像データを利用して、ユーザから指定される指定処理を遂行させる画像処理方法であって、
コンピュータに、
前記指定処理を指定するための既定処理指定メニューを取得する工程と、
記憶媒体から読み出されるユーザデータに基づいて、前記指定処理を指定するためのユーザ固有処理指定メニューを取得する工程と、
前記取得したユーザ固有処理指定メニューと既定処理指定メニューとを含む、表示用メニューを生成してユーザに提示する工程と、
を実行させ、
前記提示された表示用メニューを用いて指定された指定処理を、前記処理対象となった画像データを利用して遂行させることを特徴とする画像処理方法。
【請求項６】
処理対象となった画像データを利用して、ユーザから指定される指定処理を遂行させるプログラムであって、
コンピュータに、
前記指定処理を指定するための既定処理指定メニューを取得する手順と、
記憶媒体から読み出されるユーザデータに基づいて、前記指定処理を指定するためのユーザ固有処理指定メニューを取得する手順と、
前記取得したユーザ固有処理指定メニューと既定処理指定メニューとを含む、表示用メニューを生成してユーザに提示する手順と、
を実行させ、
前記提示された表示用メニューを用いて指定された指定処理を、前記処理対象となった画像データを利用して遂行させることを特徴とするプログラム。
【発明の詳細な説明】
【技術分野】
【０００１】
本発明は、ユーザから指定される指定処理を遂行する画像処理装置に関する。
【背景技術】
【０００２】
スキャナや複写機等を備えた画像処理装置として、例えば、当該画像処理装置が行うべき処理を指定するための処理指定メニューやアプリケーション等を格納できるものがある（例えば、特許文献１参照）。
【０００３】
このような画像処理装置は、例えば、ユーザがスキャナを用いて画像データを取得する際の条件や、当該取得した画像データを利用して所定の処理を行う際の条件等の処理指定メニューを受け入れ、当該処理指定メニューを格納しておく。
【０００４】
そして、この画像処理装置は、当該ユーザが再び同様の画像処理を行う際に、予め格納している処理指定メニューを提示する。
【０００５】
ユーザは、例えば、画像処理装置が提示する処理指定メニューのうち所望のメニューを選択する。こうして、ユーザは、画像処理の指定を簡便に行うことができる。
【特許文献１】特開２００４−１１８２３７号公報
【発明の開示】
【発明が解決しようとする課題】
【０００６】
しかしながら、上記従来の画像処理装置においては、例えば、当該画像処理装置が複数のユーザに共有されることを目的として設置される場合には、格納されている処理指定メニュー等も共有されることとなる。
【０００７】
このため、上記従来の画像処理装置においては、複数のユーザによって共有されることが好ましくない、特定のユーザ固有の処理指定メニューを利用した画像処理を行う上で利便性が低かった。
【０００８】
例えば、特定のユーザが、画像処理装置において取得した画像データをＬＡＮ（Ｌｏｃａｌ  Ａｒｅａ  Ｎｅｔｗｏｒｋ）等のネットワークを介して他のユーザのコンピュータに送信する場合であって、当該他のユーザの送信先アドレスを当該画像処理装置に記憶させることが好ましくない場合には、送信処理を行うたびに当該送信先アドレスを手入力する等の煩雑な操作が必要となっていた。
【０００９】
本発明は、上記課題に鑑みて為されたものであって、ユーザ固有の処理指定メニューに基づく画像処理の利便性を向上させることができる画像処理装置を提供することをその目的の一つとする。
【課題を解決するための手段】
【００１０】
上記従来の課題を解決するための本発明の一実施の形態に係る画像処理装置は、記憶媒体を受け入れる記憶媒体受入部を備え、処理対象となった画像データを利用して、ユーザから指定される指定処理を遂行する画像処理装置であって、前記指定処理を指定するための既定処理指定メニューを取得する手段と、前記記憶媒体受入部に受け入れられた記憶媒体から読み出されるユーザデータに基づいて、前記指定処理を指定するためのユーザ固有処理指定メニューを取得する手段と、前記取得したユーザ固有処理指定メニューと既定処理指定メニューとを含む、表示用メニューを生成してユーザに提示するメニュー提示手段と、を含み、前記提示された表示用メニューを用いて指定された指定処理を、前記処理対象となった画像データを利用して遂行することを特徴とする。
【００１１】
また、前記メニュー提示手段は、前記取得したユーザ固有処理指定メニューと既定処理指定メニューとに、それぞれ重複した処理を指定するメニューが含まれる場合には、予め定めた選択条件に基づいて、いずれか一方のメニューを選択的に含めた前記表示用メニューを生成することとしてもよい。
【００１２】
また、前記既定処理指定メニュー及び前記ユーザ固有処理指定メニューに含まれる個々のメニューには、各メニューの更新日時に関する情報が関連付けられており、前記選択条件は、前記更新日時のより新しい方を選択する条件であることとしてもよい。
【００１３】
また、前記取得したユーザ固有処理指定メニューと既定処理指定メニューとに、それぞれ重複した処理を指定するメニューが含まれる場合に、予め定めた選択条件に基づいて、いずれか一方を選択し、当該選択したメニューを、選択されないメニューに上書きして、前記取得したユーザ固有処理指定メニューと既定処理指定メニューとのいずれか一方を更新する手段をさらに含むこととしてもよい。
【００１４】
また、上記従来の課題を解決するための本発明の一実施の形態に係る画像処理方法は、処理対象となった画像データを利用して、ユーザから指定される指定処理を遂行させる画像処理方法であって、コンピュータに、前記指定処理を指定するための既定処理指定メニューを取得する工程と、記憶媒体から読み出されるユーザデータに基づいて、前記指定処理を指定するためのユーザ固有処理指定メニューを取得する工程と、前記取得したユーザ固有処理指定メニューと既定処理指定メニューとを含む、表示用メニューを生成してユーザに提示する工程と、を実行させ、前記提示された表示用メニューを用いて指定された指定処理を、前記処理対象となった画像データを利用して遂行させることを特徴とする。
【００１５】
また、上記従来の課題を解決するための本発明の一実施の形態に係るプログラムは、処理対象となった画像データを利用して、ユーザから指定される指定処理を遂行させるプログラムであって、コンピュータに、前記指定処理を指定するための既定処理指定メニューを取得する手順と、記憶媒体から読み出されるユーザデータに基づいて、前記指定処理を指定するためのユーザ固有処理指定メニューを取得する手順と、前記取得したユーザ固有処理指定メニューと既定処理指定メニューとを含む、表示用メニューを生成してユーザに提示する手順と、を実行させ、前記提示された表示用メニューを用いて指定された指定処理を、前記処理対象となった画像データを利用して遂行させることを特徴とする。
【発明を実施するための最良の形態】
【００１６】
以下に、本発明の一実施の形態に係る画像処理装置（以下、画像処理装置１と呼ぶ。）について、図面を参照しつつ説明する。画像処理装置１は、図１に示すように、ＬＡＮ２に接続され、複数のユーザによって共用される。
【００１７】
この画像処理装置１は、処理対象となった画像データを利用して、ユーザから指定される指定処理を遂行する。本実施形態においては、画像処理装置１が、処理対象となった画像データを、ＬＡＮ２を介して、当該ＬＡＮ２に接続されているサーバコンピュータや他のユーザのコンピュータ３等のうち、ユーザから指定される送信先に送信する処理を行う場合を例として説明する。
【００１８】
図２は、画像処理装置１の主な構成を示すブロック図である。図２に示すように、画像処理装置１は、制御部１０と、記憶部２０と、記憶媒体受入部３０と、画像読取部４０と、ＵＩ（Ｕｓｅｒ  Ｉｎｔｅｒｆａｃｅ）部５０と、通信部６０と、を含んで構成されている。
【００１９】
制御部１０は、ＣＰＵ（Ｃｅｎｔｒａｌ  Ｐｒｏｃｅｓｓｉｎｇ  Ｕｎｉｔ）等によって実現され、記憶部２０に格納されているプログラムに従って動作する。この制御部１０が行う処理の具体的な内容については、後に詳しく述べる。
【００２０】
記憶部２０は、ＲＡＭ（Ｒａｎｄｏｍ  Ａｃｃｅｓｓ  Ｍｅｍｏｒｙ）や、ＲＯＭ（Ｒｅａｄ  Ｏｎｌｙ  Ｍｅｍｏｒｙ）等のメモリ素子、並びにハードディスク等によって実現できる。この記憶部２０は、制御部１０が実行するプログラム（ソフトウェア）を格納している。また、この記憶部２０は、制御部１０の処理の過程で利用される種々のデータを保持するワークメモリとしても動作する。
【００２１】
記憶媒体受入部３０は、ＩＣ（Ｉｎｔｅｇｒａｔｅｄ  ＣｉｒｃｕｉｔI）カード等のリーダ／ライタ装置、ＣＤ（Ｃｏｍｐａｃｔ  Ｄｉｓｃ）等のドライブ装置、ＰＤＡ（Ｐｅｒｓｏｎａｌ  Ｄｉｇｉｔａｌ  Ａｓｓｉｓｔａｎｃｅ）や携帯電話機等と接続可能な接続ポート等によって実現できる。この記憶媒体受入部３０は、これらＩＣカード等の記憶媒体２を受け入れて、当該記憶媒体２に保持されているデータを読み取って制御部１０に出力する。また、この記憶媒体受入部３０は、制御部１０から入力される指示に従って、制御部１０から入力されるデータを記憶媒体２に書き込む。
【００２２】
画像読取部４０は、イメージスキャナ装置等によって実現できる。この画像読取部４０は、制御部１０から入力される指示に従って、紙文書上に形成された画像（例えば、テキスト、線図、写真等を含む。）を表すビットマップデータを生成し、制御部１０に出力する。
【００２３】
ＵＩ部５０は、タッチパネルや、液晶ディスプレイ及び入力用デバイス（キーボード、マウス、タッチパッド等）等によって実現できる。このＵＩ部５０は、制御部１０から入力される指示に従って、制御部１０から入力されるデータに基づいた画面（例えば、ユーザに指示の入力を促す案内画面）を表示する。また、このＵＩ部５０は、ユーザから指示の入力を受け入れて、制御部１０に出力する。
【００２４】
通信部６０は、ネットワークボード等によって実現できる。この通信部６０は、ＬＡＮ２やインターネット等のネットワークに接続され、当該ネットワークに接続された他のコンピュータ３等からデータを受け入れて制御部１０に出力する。また、この通信部６０は、制御部１０から入力されるデータをネットワークを介して他のコンピュータ３等に出力する。
【００２５】
次に、制御部１０が行う処理の内容について説明する。本実施形態においては、制御部１０が、特定のユーザＡが所持する記憶媒体２に保持されたデータに基づいて、処理対象となった画像データを、当該特定のユーザＡにより指定される送信先に送信する指定処理を実行する場合を例として説明する。
【００２６】
すなわち、この制御部１０は、記憶媒体受入部３０に受け入れられた記憶媒体２から読み出されるユーザデータに基づいて、指定処理を指定するための処理指定メニューを取得する処理と、当該処理指定メニューを含む表示用メニューをユーザＡに提示する処理と、当該提示された表示用メニューを用いてユーザＡから指定された送信先に画像データを送信する処理と、を主に行う。
【００２７】
図３は、制御部１０によって行われる主な処理を示す機能ブロック図である。図３に示すように、この制御部１０が実行するプログラムは、画像データ取得部１１と、処理指定メニュー取得部１２と、表示用メニュー提示部１３と、指定処理実行部１４と、更新処理部１５と、を機能的に含む。
【００２８】
画像データ取得部１１は、処理対象となった画像データを画像読取部４０から取得する。具体的に、この画像データ取得部１１は、画像読取部４０が、ユーザＡが所持している紙文書上に形成された画像を光学的に読み取ることによって生成した当該画像を表すビットマップデータを、当該画像読取部４０から取得する。そして、この画像データ取得部１１は、この取得した画像データを指定処理実行部１４に出力する。
【００２９】
処理指定メニュー取得部１２は、画像処理装置１が遂行する画像取得処理や画像データの送信処理等の指定処理を指定するための処理指定メニューを取得する。本実施形態において、この処理指定メニューは、画像処理装置１からネットワークを介して画像データを送信することが可能な送信先候補（ＬＡＮ２に接続された他のコンピュータ３等）のうち少なくとも一部に当該画像データを送信する処理を指定するためのものである。
【００３０】
図４〜図６には、この処理指定メニューに含まれる送信先候補を特定する送信先アドレスを列挙したリストの一例を示す。図４〜図６に示すように、各リストは、送信先アドレスと、当該送信先アドレスの所有者を特定するユーザ識別情報と、当該送信先アドレスが更新された日付（例えば、記憶媒体２又は記憶部２０に格納された日付）と、を関連付けて保持している。
【００３１】
図４には、記憶媒体受入部３０に受け入れられた記憶媒体２に保持され、ユーザＡが他人と共有することを望まないユーザＡ固有の送信先アドレス（以下、ユーザ固有アドレスと呼ぶ。）を列挙したユーザ固有アドレスリストの一部を示す。図５には、記憶媒体受入部３０に受け入れられた記憶媒体２に保持され、ユーザＡが他人と共有することを許容する送信先アドレス（以下、第一既定アドレスと呼ぶ。）を列挙した第一既定アドレスリストの一部を示す。図６には、記憶部２０に保持され、ユーザＡを含む複数のユーザによって共有される送信先アドレス（以下、第二既定アドレスと呼ぶ。）を列挙した第二既定アドレスリストの一部を示す。
【００３２】
なお、ユーザ固有アドレスと第一既定アドレスとは、記憶媒体２に互いに異なる記憶領域として設定されたユーザ固有記憶領域と第一既定記憶領域とにそれぞれ保持されている。したがって、処理指定メニュー取得部１２は、記憶媒体２のユーザ固有記憶領域に格納されている送信先アドレスをユーザ固有アドレスとして取得し、記憶媒体２の第一既定記憶領域に格納されている送信先アドレスを第一既定アドレスとして取得する。
【００３３】
処理指定メニュー取得部１２は、ユーザ固有アドレスと第一既定アドレスとに対して画像データを送信する処理を指定する処理指定メニューと、第二既定アドレスに対して画像データを送信する処理を指定する処理指定メニューと、を表示用メニュー提示部１３と更新処理部１５とに出力する。
【００３４】
表示用メニュー提示部１３は、処理指定メニュー取得部１２から受け入れた処理指定メニューに含まれるユーザ固有アドレスと、第一既定アドレスと、第二既定アドレスと、に対して画像データを送信する処理を指定するための表示用メニューを生成する。
【００３５】
ここで、この表示用メニュー提示部１３は、処理指定メニュー取得部１２から受け入れた処理指定メニューに含まれるユーザ固有アドレスと、第一既定アドレスと、第二既定アドレスと、のうち少なくとも一部に対して画像データを送信する処理を指定するための表示用メニューを生成してもよい。具体的に、この場合、表示用メニュー提示部１３は、処理指定メニュー取得部１２から受け入れた処理指定メニューに含まれる第一既定アドレスリストと第二既定アドレスリストとを比較し、当該２つのリストの両方に重複して含まれるユーザ識別情報があるか否かを判断する。そして、この表示用メニュー提示部１３は、この２つのリストに重複して含まれるユーザ識別情報があると判断した場合には、予め定めた選択条件に基づいて、いずれか一方のユーザ識別情報に関連付けられたアドレスを選択する。
【００３６】
例えば、この表示用メニュー提示部１３は、図５及び図６に示すユーザ識別情報「Ｅ」と「Ｇ」とが、第一既定アドレスリストと第二既定アドレスリストとの両方に含まれると判断する。この場合、この表示用メニュー提示部１３は、例えば、記憶部２０が保持している、より新しい日付に関連付けられている方の処理指定メニューを選択することを定めた選択条件を読み出して、当該選択条件に基づいて、ユーザ識別情報「Ｅ」と「Ｇ」とに関連付けられている送信先アドレスのうち、より新しい更新日付に関連付けられた、図５に示す送信先アドレス「Ｅ＠ｙｙｙ．ｚｚ」と、図６に示す送信先アドレス「Ｇ＠ｙｙｙ．ｚｚ」と、を選択する。そして、この表示用メニュー提示部１３は、このユーザ識別情報「Ｅ」と「Ｇ」とに関連付けられている重複する送信先アドレスのうち、選択された方の送信先アドレスのみを含む表示用メニューを生成する。
【００３７】
また、この表示用メニュー提示部１３は、生成した表示用メニューをＵＩ部５０に出力して、当該表示用メニューをユーザＡに対して提示させる。すなわち、この場合、ＵＩ部５０は、まず、画像データの送信処理を行うか否かの入力指示を案内する表示用メニューをユーザＡに提示する（例えば、タッチパネル上に「送信処理を行う」との入力ボタンを表示する。）。そして、このＵＩ部５０は、ユーザＡから画像データの送信処理を行う指示を受け入れた場合には、当該入力指示に基づいて、表示用メニューに含まれる送信先アドレスのリストを提示する（例えば、タッチパネル上に送信先アドレスのリストを表示し、当該送信先アドレスのうちから、ユーザＡが実際に画像データを送信する送信先アドレスを選択するよう求める画面を表示する）。
【００３８】
また、表示用メニュー提示部１３は、この表示用メニューを提示されたユーザＡが、ＵＩ部５０を介して、当該表示用メニューに含まれる送信先アドレスのうち少なくとも一部を、実際に画像データを送信する宛先として指定する指示を入力した場合には、当該指示入力により特定される当該実際の送信先アドレスのみを列挙したユーザアドレスリストを生成し、指定処理実行部１４に出力する。
【００３９】
指定処理実行部１４は、画像データ取得部１１から処理対象となった画像データを受け入れ、当該受け入れた画像データを、通信部６０を介して、表示用メニュー提示部１３から受け入れたユーザアドレスリストに含まれる各送信先アドレスに送信出力する。
【００４０】
更新処理部１５は、処理指定メニュー取得部１２から受け入れたユーザ固有アドレスと、第一既定アドレスと、第二既定アドレスと、の更新処理を行う。具体的に、この更新処理部１５は、まず、第一既定アドレスリストと第二既定アドレスリストとを比較し、当該２つのリストに重複して含まれるユーザ識別情報があるか否かを判断する。そして、この更新処理部１５は、２つのリストに重複して含まれるユーザ識別情報があると判断した場合には、予め定めた選択条件に基づいて、いずれか一方のユーザ識別情報に関連付けられた送信先アドレスを選択する。
【００４１】
例えば、この更新処理部１５は、図５及び図６に示すユーザ識別情報「Ｅ」と「Ｇ」とが第一既定アドレスリストと第二既定アドレスリストとの両方に含まれると判断し、記憶部２０が保持している、関連付けられている更新日付のより新しい方を選択する選択条件に基づいて、図５に示す第一既定アドレスリストに含まれているユーザ識別情報「Ｅ」に関連付けられている送信先アドレス「Ｅ＠ｙｙｙ．ｚｚ」と、図６に示す第一既定アドレスリストに含まれているユーザ識別情報「Ｇ」に関連付けられている送信先アドレス「Ｇ＠ｙｙｙ．ｚｚ」とを選択する。
【００４２】
そして、この更新処理部１５は、この選択した送信先アドレスを、選択されなかった方の送信先アドレスに上書きする更新処理を行う。具体的に、この更新処理部１５は、例えば、図５に示す第一既定アドレスリストに含まれているユーザ識別情報「Ｅ」に関連付けられている送信先アドレスを、図６に示す第二既定アドレスリストに含まれているユーザ識別情報「Ｅ」に関連付けられている送信先アドレスに上書きするとともに、当該上書きされた送信先アドレスに関連付けられている更新日付を当該上書き処理時の日付に更新する。また、この更新処理部１５は、図６に示す第二既定アドレスリストに含まれているユーザ識別情報「Ｇ」に関連付けられている送信先アドレスを、図５に示す第一既定アドレスリストに含まれているユーザ識別情報「Ｇ」に関連付けられている送信先アドレスに上書きするとともに、当該上書きされた送信先アドレスに関連付けられている更新日付を当該上書き処理時の日付に更新する。
【００４３】
また、この更新処理部１５は、第一既定アドレスリストと第二既定アドレスリストとを比較して、当該２つのリストのうち、いずれか一方のリストにのみ含まれるユーザ識別情報に関連付けられている送信先アドレスを特定し、当該特定された送信先アドレスを、当該特定された送信先アドレスを含まない他方のリストに追加する更新処理を行う。
【００４４】
具体的に、この更新処理部１５は、例えば、図５に示すユーザ識別情報「Ｆ」に関連付けられている送信先アドレスを、第一既定アドレスリストにのみ含まれるユーザ識別情報に関連付けられている送信先アドレスとして特定し、当該特定した送信先アドレスを、他方の図６に示す第二既定アドレスリストに追加する。また、この更新処理部１５は、図６に示すユーザ識別情報「Ｈ」に関連付けられている送信先アドレスを、第二既定アドレスリストにのみ含まれているユーザ識別情報に関連付けられている送信先アドレスとして特定し、当該特定した送信先アドレスを、他方の図５に示す第一既定アドレスリストに追加する。
【００４５】
また、この更新処理部１５は、処理指定メニュー取得部１２が取得した処理指定メニューが記憶部２０に保持される場合には、当該保持されている処理指定メニューのうち、ユーザ固有処理指定メニューを、所定のタイミングで当該記憶部２０から選択的に消去する処理を行う。
【００４６】
具体的に、この更新処理部１５は、例えば、処理指定メニュー取得部１２がユーザ固有処理指定メニューを記憶部２０のＲＡＭに格納する場合には、表示用メニュー提示部１３が表示用メニューを生成したタイミング、指定処理実行部１４が指定処理を実行したタイミング、更新処理部１５が更新処理を実行したタイミング、記憶媒体受入部３０から記憶媒体２が取り出されたタイミング等の、適宜設定される任意のタイミングで当該ユーザ固有処理指定メニューをＲＡＭから消去する。また、この更新処理部１５は、例えば、ユーザ固有処理指定メニューが記憶部２０のＲＡＭに格納されてから所定の時間が経過した後に当該ユーザ固有処理指定メニューを消去することとしてもよい。また、この更新処理部１５は、ＵＩ部５０を介してユーザからユーザ固有処理指定メニューの消去処理に関する指示（消去すべきか否か、消去するタイミング等）の入力を受け入れた場合に、当該入力指示に従って当該消去処理を行うこととしてもよい。
【００４７】
なお、記憶部２０は、ＲＡＭ上に互いに異なる記憶領域として設定された、ユーザ固有処理指定メニュー用記憶領域と既定処理指定メニュー用記憶領域とに、ユーザ固有アドレスと既定アドレス（第一既定アドレスと第二既定アドレスとを含む。）とをそれぞれ保持することとしてもよい。この場合、更新処理部１５は、所定のタイミングで、この記憶部２０のユーザ固有処理指定メニュー用記憶領域に保持されているユーザ固有アドレスを選択的に消去する。
【００４８】
次に、この制御部１０が行う指定処理の流れについて説明する。まず、処理指定メニュー取得部１２は、記憶媒体受入部３０から、当該記憶媒体受入部３０に受け入れられた記憶媒体２が保持しているユーザ固有アドレスと第一既定アドレスとに対して送信処理を行うことを指示するための処理指定メニューを取得する。また、この処理指定メニュー取得部１２は、記憶部２０から、当該記憶部２０が保持している第二既定アドレスに対して送信処理を行うことを指示するための処理指定メニューを取得する。そして、この処理指定メニュー取得部１２は、この取得した処理指定メニューを、表示用メニュー提示部１３と更新処理部１５とに出力する。
【００４９】
表示用メニュー提示部１３は、処理指定メニュー取得部１２から受け入れた処理指定メニューに含まれる送信先アドレスのうち少なくとも一部に対して画像データを送信する処理を指定するための表示用メニューを生成する。例えば、この表示用メニュー提示部１３は、第一既定アドレスリストと第二既定アドレスリストとに重複して含まれている送信先アドレスがある場合には、当該重複した送信先アドレスのうち、関連付けられている更新日付が新しい方の送信先アドレスのみを含む表示用メニューを生成する。そして、この表示用メニュー提示部１３は、生成した表示用メニューを、ＵＩ部５０を介して、ユーザＡに提示する。
【００５０】
さらに、この表示用メニュー提示部１３は、ＵＩ部５０を介して、ユーザＡから、表示用メニューに含まれる送信先アドレスのうち少なくとも一部を、ユーザＡが実際に画像データの送信先として指定する指示を受け入れ、当該指示により特定される送信先アドレスのみを列挙したユーザアドレスリストを生成し、指定処理実行部１４に出力する。
【００５１】
指定処理実行部１４は、画像データ取得部１１から受け入れた処理対象となった画像データを、指定処理実行部１４から受け入れたユーザアドレスリストに含まれる各送信先アドレスに送信する。
【００５２】
また、更新処理部１５は、処理指定メニュー取得部１２から受け入れた処理指定メニューのうち少なくとも一部について更新処理を行う。すなわち、この更新処理部１５は、第一既定アドレスリストと第二既定アドレスリストとに重複して含まれている送信先アドレスのうち、関連付けられている更新日付がより新しい方を選択し、当該選択された送信先アドレスを選択されなかった送信先アドレスに上書きする。また、この更新処理部１５は、第一既定アドレスリスト又は第二既定アドレスリストのうちいずれか一方にのみ含まれる送信先アドレスを、当該送信先アドレスを含まない方のアドレスリストに追加する。
【００５３】
また、この更新処理部１５は、例えば、指定処理実行部１４が指定処理を実行したタイミングで、記憶部２０が保持している送信先アドレスのうち、ユーザ固有アドレスを選択的に消去する。
【００５４】
なお、本発明に係る画像処理装置１は、上述の例に限られない。すなわち、例えば、画像処理装置１が遂行する指定処理は、ユーザＡにより指定される画像取得条件に従って、紙文書上に形成された画像を表す画像データを取得する処理であってもよい。この場合、例えば、処理指定メニュー取得部１２は、記憶媒体２や記憶部２０から、モノクロ／カラーの別や解像度等の画像取得条件に基づいた画像取得処理を指定する処理指定メニューを取得する。また、この場合、表示用メニュー提示部１３は、処理指定メニュー取得部１２が取得した処理指定メニューを含む表示用メニューを生成して、当該表示用メニューに含まれる画像取得条件に従った画像取得処理を指定するよう求める案内画面をユーザＡに提示する。そして、指定処理実行部１４は、この提示された表示用メニューを用いてユーザＡから指定された画像取得条件に従った画像取得処理を画像読取部４０に実行させる。
【００５５】
また、画像処理装置１において処理対象となる画像データは、画像読取部４０により生成されるものに限られず、例えば、画像処理装置１が接続されているＬＡＮ２等のネットワークを介して、当該ネットワークに接続されているコンピュータ３等から取得されるものであってもよい。
【００５６】
また、記憶媒体２に保持されるユーザデータは、当該記憶媒体２の所持者であるユーザＡを特定するユーザ識別情報を含むこととしてもよい。この場合、処理指定メニュー取得部１２は、この記憶媒体２に保持されているユーザ識別情報を取得し、当該取得したユーザ識別情報に基づいて処理指定メニューを取得する。
【００５７】
具体的に、例えば、記憶部２０が、図７に示すように、画像処理装置１を共用している複数のユーザの各々を特定するユーザ識別情報と、当該ユーザ識別情報によって特定されるユーザに固有のユーザ固有アドレスと、当該各ユーザ固有アドレスの更新日付と、を関連付けたユーザ固有アドレスリスト（以下、第二ユーザ固有アドレスリストと呼ぶ。）を保持している場合には、この処理指定メニュー取得部１２は、記憶媒体２から取得したユーザＡを特定するユーザ識別情報と、当該第二ユーザ固有アドレスリストに保持されている各ユーザ識別情報とを比較し、当該記憶媒体２から取得したユーザ識別情報と一致するユーザ識別情報（すなわち、ユーザＡを特定するユーザ識別情報）に関連付けられている送信先アドレス（すなわち、ユーザＡに固有の送信先アドレス）を記憶部２０から選択的に取得する。
【００５８】
また、この場合、更新処理部１５は、記憶媒体２に保持されているユーザ固有アドレスリスト（以下、第一ユーザ固有アドレスリストと呼ぶ。）と、記憶部２０に保持されている第二ユーザ固有アドレスリストと、の更新処理を行うこととしてもよい。すなわち、この更新処理部１５は、例えば、上述の既定アドレスリストの場合と同様に、第一ユーザ固有アドレスリストと第二ユーザ固有アドレスリストとを比較し、当該２つのリストに重複して含まれるユーザ識別情報があるか否かを判断し、重複して含まれるユーザ識別情報があると判断した場合には、予め定めた選択条件に基づいて、当該重複して含まれるユーザ識別情報のうち、いずれか一方のユーザ識別情報に関連付けられた送信先アドレスを選択する。そして、この更新処理部１５は、選択した送信先アドレスを、選択されなかった方の送信先アドレスに上書きする更新処理を行う。
【００５９】
また、この更新処理部１５は、例えば、上述の既定アドレスリストの場合と同様に、第一ユーザ固有アドレスリストと第二ユーザ固有アドレスリストとを比較し、当該２つのリストのうち、いずれか一方のリストにのみ含まれるユーザ識別情報に関連付けられている送信先アドレスを特定し、当該特定された送信先アドレスを、当該特定された送信先アドレスを含まない他方のリストに追加する更新処理を行う。
【００６０】
また、この場合、記憶部２０は、当該記憶部２０が保持している第二既定アドレスを更新することを許容されている（第二既定アドレスの更新処理を実行する資格を有する）ユーザを特定する管理者識別情報を保持していることとしてもよい。この場合、更新処理部１５は、記憶媒体２から読み出されるユーザ識別情報を取得して、当該ユーザ識別情報と当該記憶部２０に保持されている管理者識別情報とを比較し、当該２つの識別情報が互いに一致すると判断した場合に限り、上述の更新処理を実行することとしてもよい。
【００６１】
また、図７に示すような、画像処理装置１を共用している複数のユーザの各々を特定するユーザ識別情報と、当該ユーザ識別情報によって特定されるユーザに固有のユーザ固有アドレスと、当該各ユーザ固有アドレスの更新日付と、を関連付けたユーザ固有アドレスリストは、画像処理装置１とＬＡＮ２等のネットワークを介して接続されたコンピュータ３等に保持されることとしてもよい。この場合、処理指定メニュー取得部１２は、例えば、記憶媒体２が保持するユーザ識別情報を取得し、当該取得したユーザ識別情報と、ネットワークに接続されたコンピュータ３等が保持しているユーザ固有アドレスリストに含まれるユーザ識別情報とを照合し、当該記憶媒体２に保持されるユーザ識別情報と一致するユーザ識別情報に関連付けられているユーザ固有アドレスを、当該ネットワークを介して当該コンピュータ３等から選択的に取得する。なお、この場合、記憶媒体２と記憶部２０とのうち、少なくとも一方は、ユーザ固有アドレスを保持していないこととしてもよい。
【００６２】
また、本実施形態において、ユーザ固有アドレスと第一既定アドレスとは、記憶媒体２又は記憶部２０の互いに異なる記憶領域に保持されることとしたが、これに限られず、例えば、各送信先アドレスは、記憶媒体２又は記憶部２０において、ユーザ固有アドレスか第一既定アドレスかを表す識別情報が付加されて保持されることとしてもよい。また、更新処理部１５は、更新後の処理指定メニューを表示用メニュー提示部１３に出力し、表示用メニュー提示部１３は、当該更新後の処理指定メニューを含む表示用メニューを生成することとしてもよい。
【００６３】
また、本実施形態において、記憶媒体２の受け入れによって、ユーザ固有処理指定メニューと既定処理指定メニューとを含む表示用メニューを生成するようにしたが、ユーザが画像処理装置１のＵＩ部５０からユーザ識別情報を入力することによって、画像処理装置１もしくは画像処理装置１とＬＡＮ２等のネットワークを介して接続されたコンピュータ３等に保持されるユーザ固有アドレスリストを取得するようにしてもよい。この場合は、ユーザ固有アドレスリストの暗号化やユーザの認証を行うため、第３者によってユーザ固有アドレスリストが容易に読み出せないようにすることができる。
【図面の簡単な説明】
【００６４】
【図１】本発明の一実施の形態に係る画像処理装置についての説明図である。
【図２】本発明の一実施の形態に係る画像処理装置についての構成ブロック図である。
【図３】本発明の一実施の形態に係る制御部についての機能ブロック図である。
【図４】記憶媒体に保持されているユーザ固有処理指定メニューの一例を示す説明図である。
【図５】記憶媒体に保持されている既定処理指定メニューの一例を示す説明図である。
【図６】本発明の一実施の形態に係る記憶部に保持されているユーザ固有処理指定メニューの一例を示す説明図である。
【図７】本発明の一実施の形態に係る記憶部に保持されている既定処理指定メニューの一例を示す説明図である。
【符号の説明】
【００６５】
１  画像処理装置、２  記憶媒体、１０  制御部、１１  画像データ取得部、１２  処理指定メニュー取得部、１３  表示用メニュー提示部、１４  指定処理実行部、１５  更新処理部、２０  記憶部、３０  記憶媒体受入部、４０  画像読取部、５０  ＵＩ部、６０  通信部。
【図１】
2006270155.tif 000003
【図２】
2006270155.tif 000004
【図３】
2006270155.tif 000005
【図４】
2006270155.tif 000006
【図５】
2006270155.tif 000007
【図６】
2006270155.tif 000008
【図７】
2006270155.tif 000009